(57)【要約】【課題】  鍵同士の隙間を調整することができると共に、鍵を安定した状態で良好にガイドすることができる鍵盤装置を提供する。【解決手段】  鍵盤シャーシ１上にそれぞれ起立して設けられ、且つこの鍵盤シャーシ１上にそれぞれ上下方向に回転可能に取り付けられた複数の鍵２の各内部にそれぞれ挿入する複数のガイド支持軸２８と、この複数のガイド支持軸２８に偏心した状態でそれぞれ回転可能に取り付けられ、ガイド支持軸２８を中心に偏心回転することにより、外周面が鍵２の内面に摺動可能に接触して鍵２をその配列方向に変位させる複数の鍵ガイド部２９とを備えている。従って、ガイド支持軸２８を中心に鍵ガイド部２９を回転させると、鍵ガイド部２９が傾くことなく、鍵ガイド部２９が偏心回転して鍵２の内面をその配列方向に変位させることができる。【選択図】        図４
2013257402.tif 000002
【特許請求の範囲】
【請求項１】
複数の鍵が鍵盤シャーシ上にそれぞれ上下方向に回転可能に取り付けられた状態で並列に配列された鍵盤装置において、
前記鍵盤シャーシ上にそれぞれ起立して設けられ、前記複数の鍵の各内部にそれぞれ挿入する複数のガイド支持軸と、
前記複数のガイド支持軸に偏心した状態でそれぞれ回転可能に取り付けられ、前記ガイド支持軸を中心に偏心回転することにより、外周面が前記鍵の内面に接触して前記鍵をその配列方向に変位させる複数の鍵ガイド部と
を備えていることを特徴とする鍵盤装置。
【請求項２】
請求項１に記載の鍵盤装置において、前記複数の鍵ガイド部をそれぞれ偏心回転させる複数の回転操作部を備えていることを特徴とする鍵盤装置。
【請求項３】
請求項２に記載の鍵盤装置において、前記複数の回転操作部は互いに隣接する前記鍵ガイド部ごとに異なる高さで前記鍵ガイド部にそれぞれ設けられていることを特徴とする鍵盤装置。
【請求項４】
請求項１〜請求項３のいずれかに記載の鍵盤装置において、前記ガイド支持軸の外周面には、その軸方向に沿う複数の係止溝部が設けられており、前記ガイド支持軸が挿入する前記鍵ガイド部の軸孔の内周面には、前記複数の係止溝部に係脱可能に係合する係合突起部が設けられていることを特徴とする鍵盤装置。
【請求項５】
請求項１〜請求項４のいずれかに記載の鍵盤装置において、前記鍵ガイド部は前記ガイド支持軸よりも軟質の合成樹脂で形成されていることを特徴とする鍵盤装置。
【請求項６】
請求項１〜請求項５のいずれかに記載の鍵盤装置において、前記鍵ガイド部は抜け止め用のフック部を備えていることを特徴とする鍵盤装置。
【発明の詳細な説明】
【技術分野】
【０００１】
この発明は、電子ピアノや電子オルガンなどの電子鍵盤楽器に用いられる鍵盤装置に関する。
【背景技術】
【０００２】
例えば、電子鍵盤楽器の鍵盤装置においては、特許文献１に記載されているように、複数の鍵を鍵盤シャーシ上に上下方向に回転可能に取り付けた状態で並列に配列し、この鍵盤シャーシ上に複数の鍵を上下方向にガイドする複数の鍵ガイド部を複数の鍵の内部にそれぞれ挿入させた状態で起立させて設け、この複数の鍵ガイド部をそれぞれ複数の鍵隙間調整部によって鍵の配列方向に傾けて隣接する鍵同士の隙間を調整するように構成したものが知られている。
【先行技術文献】
【特許文献】
【０００３】
【特許文献１】特開２０１２―２７２２０号公報  このような鍵盤装置の鍵隙間調整部は、鍵の配列方向における鍵ガイド部の両側部に位置し、且つ鍵盤シャーシの下面から鍵ガイド部内の下部に亘ってそれぞれ形成された複数の調整穴と、この複数の調整穴のいずれかに螺入してその締付力に応じて鍵ガイド部を鍵の配列方向に傾けるためのねじ部材とを備えている。
【発明の概要】
【発明が解決しようとする課題】
【０００４】
しかしながら、このような鍵盤装置では、鍵隙間調整部のねじ部材の締付力に応じて鍵ガイド部を鍵の配列方向に傾けることにより、隣接する鍵同士の隙間を調整する構成であるから、鍵ガイド部が鍵の配列方向に傾き、鍵ガイド部の側面における上端部または下端部が鍵の内面に点接触状態で摺動するため、鍵が上下方向に回転する際に、鍵ガイド部によって鍵を安定した状態で良好にガイドすることができないという問題がある。
【０００５】
この発明が解決しようとする課題は、鍵ガイド部を傾けることなく、鍵同士の隙間を調整することができ、これにより鍵を安定した状態で良好にガイドすることができる鍵盤装置を提供することである。
【課題を解決するための手段】
【０００６】
この発明は、複数の鍵が鍵盤シャーシ上にそれぞれ上下方向に回転可能に取り付けられた状態で並列に配列された鍵盤装置において、前記鍵盤シャーシ上にそれぞれ起立して設けられ、前記複数の鍵の各内部にそれぞれ挿入する複数のガイド支持軸と、前記複数のガイド支持軸に偏心した状態でそれぞれ回転可能に取り付けられ、前記ガイド支持軸を中心に偏心回転することにより、外周面が前記鍵の内面に接触して前記鍵をその配列方向に変位させる複数の鍵ガイド部とを備えていることを特徴とする鍵盤装置である。
【発明の効果】
【０００７】
この発明によれば、ガイド支持軸を中心に鍵ガイド部を回転させると、鍵ガイド部が偏心回転して鍵の内面を鍵の配列方向に変位させることができるので、鍵ガイド部が傾くことなく、隣接する鍵同士の隙間を簡単に且つ正確に調整することができると共に、鍵ガイド部の外周面を鍵の内面に上下方向に摺動可能な状態で接触させることができ、これにより鍵を安定した状態で良好にガイドすることができる。
【図面の簡単な説明】
【０００８】
【図１】この発明を電子鍵盤楽器の鍵盤装置に適用した一実施形態を示した断面図である。
【図２】図１に示された鍵盤装置の前部側を示した要部の拡大正面図である。
【図３】図１に示された鍵盤装置の鍵ガイド部材を示し、（ａ）はその拡大平面図、（ｂ）はそのＡ−Ａ矢視における拡大断面図、（ｃ）はその拡大底面図である。
【図４】図１に示された鍵盤装置の鍵ガイド部材を分解して示した拡大斜視図である。
【発明を実施するための形態】
【０００９】
以下、図１〜図４を参照して、この発明を電子鍵盤楽器の鍵盤装置に適用した一実施形態について説明する。
この鍵盤装置は、図１に示すように、合成樹脂製の鍵盤シャーシ１と、この鍵盤シャーシ１上に並列に配列されて上下方向にそれぞれ回転可能に取り付けられた複数の鍵２と、これら複数の鍵２の押鍵操作に伴って各鍵２にそれぞれアクション荷重を付与する複数のハンマー部材３と、複数の鍵２の押鍵動作に応じてそれぞれオン信号を出力するスイッチ部４とを備えている。
【００１０】
鍵盤シャーシ１は、楽器ケース（図示せず）内に配置されるものである。この鍵盤シャーシ１の前端部（図１では右端部）には、図１に示すように、前脚部５が底部から上方に突出して形成されている。この前脚部５の上部には、後述する鍵ガイド部材６が各鍵２にそれぞれ対応して設けられている。
【００１１】
また、この鍵盤シャーシ１における前脚部５の後部側（図１では左側部）には、図１に示すように、ハンマー載置部７が前脚部５よりも少し高い高さで形成されている。このハンマー載置部７の下面には、ハンマー部材３を支持するためのハンマー支持部８が下側に向けて突出して設けられている。このハンマー支持部８には、ハンマー部材３を上下方向に回転可能に支持する支持軸８ａが設けられている。
【００１２】
また、この鍵盤シャーシ１の前後方向（図１では左右方向）におけるほぼ中間部、つまりハンマー鍵載置部７の上部後方には、図１に示すように、基板載置部１０が一段低い高さで形成されている。この基板載置部１０の上方には、スイッチ部４がハンマー載置部７と基板支持部１１との両方に跨った状態で取り付けられている。この場合、基板支持部１１は、基板載置部１０の後部側（図１では左側）上面に起立して設けられている。
【００１３】
さらに、この鍵盤シャーシ１の後部、つまり基板載置部１０の後部側には、図１に示すように、鍵載置部１２が後述する鍵ガイド部材６の上部とほぼ同じ高さで形成されている。この鍵載置部１２の上面には、鍵支持部１３が上方に突出して形成されている。この鍵支持部１３には、鍵２の後端部を上下方向に回転可能に支持する支持軸１３ａが設けられている。
【００１４】
また、この鍵盤シャーシ１における鍵載置部１２の後端部には、図１に示すように、鍵盤シャーシ１の後端部を支持する後脚部１４が鍵盤シャーシ１の上部から底部に向けて垂下されている。この後脚部１４の下端部には、ハンマー部材３の下限位置を規制するためのフェルトなどの下限ストッパ部１５が設けられている。
【００１５】
一方、鍵２は、白鍵と黒鍵とを有している。ただし、この実施形態では、白鍵について説明する。この鍵２は、図１に示すように、その後端部（図１では左端部）が鍵盤シャーシ１の鍵載置部１２上に設けられた鍵支持部１３に支持軸１３ａによって上下方向に回転可能に支持されている。この鍵２の前後方向（図１では左右方向）におけるほぼ中間部には、鍵盤シャーシ１の基板載置部１０上に取り付けられたスイッチ部４を押圧するためのスイッチ押圧部１６が下側に突出して形成されている。
【００１６】
この場合、スイッチ部４は、図１に示すように、スイッチ基板１７上に配置されたゴムシート１８を備え、このゴムシート１８にドーム状の膨出部１８aが鍵２のスイッチ押圧部１６に対応して形成された構成になっている。スイッチ基板１７は、その前端部（図１では右端部）がハンマー載置部７上に配置され、他端部（図１では左端部）が基板載置部１０上に設けられた基板支持部１１上に配置され、この状態で基板載置部１０の上方に浮いた状態で取り付けられている。
【００１７】
また、このスイッチ部４は、図１に示すように、ゴムシート１８の膨出部１８aがスイッチ押圧部１６によって押圧された際に、膨出部１８aが弾性変形して、その内部の可動接点がスイッチ基板１７の固定接点に接触することにより、オン信号を出力するように構成されている。また、このスイッチ部４は、スイッチ押圧部１６がゴムシート１８の膨出部１８aの上方に離れた際に、膨出部１８aがドーム状に弾性復帰して、可動接点が固定接点から離れることにより、オフ信号を出力するように構成されている。
【００１８】
さらに、鍵２のスイッチ押圧部１６の前側（図１では右側）に位置する鍵２の箇所には、図１に示すように、ハンマー押圧部２０が鍵２の下側に向けて突出して形成されている。このハンマー押圧部２０の下部には、ハンマー部材３の後述する鍵当接摺動部２６を摺動可能に挿入して保持するハンマー保持部２１が設けられている。
【００１９】
一方、ハンマー部材３は、図１に示すように、ハンマー本体２３と、このハンマー本体２３の後部（図１では左側部）に設けられた錘部２４と、ハンマー本体２３の前部側（図１では右側部）に設けられて、ハンマー本体２３の回転中心となる合成樹脂製の回転取付部２５と、ハンマー本体２３の前側に位置する先端部（図１では右端部）に設けられた鍵当接摺動部２６とを備えている。
【００２０】
このハンマー部材３は、図１に示すように、ハンマー本体２３の鍵当接摺動部２６を鍵盤シャーシ１のハンマー載置部７の前下り部９に設けられた開口部９ａに挿入させた状態で、ハンマー本体２３の回転取付部２５をハンマー載置部７の下面に設けられたハンマー支持部８の支持軸８ａに回転可能に取り付けることにより、ハンマー本体２３がハンマー支持部８の支持軸８ａを中心に上下方向に回転するように構成されている。
【００２１】
また、このハンマー部材３は、図１に示すように、ハンマー本体２３の回転取付部２５がハンマー支持部８の支持軸８ａに回転可能に取り付けられた際に、ハンマー本体２３の前側に位置する先端部（図１では右端部）に設けられた鍵当接摺動部２６が、鍵２のハンマー押圧部２０に形成されたハンマー保持部２１内に、摺動可能に挿入されるように構成されている。
【００２２】
これにより、ハンマー部材３は、図１に示すように、通常の状態で、ハンマー本体２３が錘部２４の重量によってハンマー支持部８の支持軸８ａを中心に反時計回りに回転し、ハンマー本体２３の錘部２４側の後端部（図１では左端部）が下限ストッパ部１５に当接して位置規制されると共に、ハンマー本体２３の鍵当接摺動部２６が鍵２のハンマー押圧部２０を押し上げて鍵２を初期位置である上限位置に位置規制するように構成されている。
【００２３】
また、このハンマー部材３は、図１に示すように、鍵２が上方から押鍵されると、鍵２のハンマー押圧部２０によってハンマー本体２３の鍵当接摺動部２６がハンマー本体２３の錘部２４の重量に抗して押し下げられ、これに伴ってハンマー本体２３がハンマー支持部８の支持軸８ａを中心に時計回りに回転し、ハンマー本体２３の錘部２４側の後端部が鍵盤シャーシ１の鍵載置部１２の下面に設けられたフェルトなどの上限ストッパ２７に当接して、ハンマー本体２３の回転が停止するように構成されている。
【００２４】
ところで、複数の鍵２をそれぞれガイドする複数の鍵ガイド部材６は、図２〜図４に示すように、鍵盤シャーシ１上にそれぞれ起立して設けられた複数のガイド支持軸２８と、この複数のガイド支持軸２８に偏心した状態でそれぞれ回転可能に取り付けられた複数の鍵ガイド部２９とを備えている。
【００２５】
ガイド支持軸２８は、図２〜図４に示すように、鍵盤シャーシ１と同じ硬質の合成樹脂によって円柱状に形成されている。このガイド支持軸２８は、鍵盤シャーシ１に一体に形成されて、複数の鍵２の内部にそれぞれ下側から挿入するように構成されている。鍵ガイド部２９は、ガイド支持軸２８の外径よりも大きく、且つ鍵２の配列方向における内面間の長さ（幅）よりも少し小さい外径の円柱状に形成されている。
【００２６】
この鍵ガイド部２９には、図３および図４に示すように、その軸中心２９ａから偏心した位置に、ガイド支持軸２８が挿入する軸孔３０が設けられている。すなわち、この鍵ガイド部２９は、その軸中心２９ａから所定長さＬだけ離れた位置に回転中心２９ｂが設けられ、この回転中心が軸孔３０の軸中心と一致し、この軸孔３０に挿入したガイド支持軸２８を中心に偏心した状態で回転するように構成されている。
【００２７】
また、この鍵ガイド部２９は、図２〜図４に示すように、ガイド支持軸２８を中心に偏心回転すると、鍵ガイド部２９の外周面が鍵２内の両側面における一方の内面に摺動可能に接触して鍵２をその配列方向に変位させることにより、鍵２同士の隙間Ｓを調整するように構成されている。この場合、鍵ガイド部２９は、ガイド支持軸２８よりも軟質の合成樹脂、例えばゴムやエラストマーなどで形成されている。
【００２８】
この鍵ガイド部２９の下部外周には、図２〜図４に示すように、鍵ガイド部２９をそれぞれ偏心回転させるための複数の回転操作部３１が設けられている。この複数の回転操作部３１は、互いに隣接する鍵ガイド部２９ごとに異なる高さで、鍵ガイド部２９の下部外周にそれぞれ設けられている。これにより、複数の回転操作部３１は、図２に示すように、その外周が鍵２の配列方向における側方に突出しても、互いに接触することなく、回転するように構成されている。
【００２９】
一方、ガイド支持軸２８の上部外周面には、図３および図４に示すように、スプライン状の複数の係止溝部２８ａが軸方向に沿って設けられている。また、このガイド支持軸２８が挿入する鍵ガイド部２９の軸孔３０の上部内周面には、複数の係止溝部２８ａに係脱可能に係合する係合突起部３０ａが設けられている。
【００３０】
この場合、鍵ガイド部２９は、図３および図４に示すように、ガイド支持軸２８を中心に偏心回転する際に、ゴムやエラストマーなどの軟質の合成樹脂からなる鍵ガイド部２９の係合突起部３０ａが、鍵盤シャーシ１と同じ硬質の合成樹脂からなるガイド支持軸２８の係止溝部２８ａを弾力的に乗り越えて係止溝部２８ａに係脱可能に係合するように構成されている。これにより、鍵ガイド部２９は、係合突起部３０ａがガイド支持軸２８の係止溝部２８ａに弾力的に係合することにより、ガイド支持軸２８を中心に勝手に回転しないように構成されている。
【００３１】
また、この鍵ガイド部２９は、図３および図４に示すように、一対のフック部３２によってガイド支持軸２８から上方に抜け出さないように構成されている。この場合、ガイド支持軸２８の外周部に位置する鍵盤シャーシ１の箇所には、一対のスリット孔３３がガイド支持軸２８を中心する円形状に沿って半円ごとに設けられている。
【００３２】
一対のフック部３２は、図３および図４に示すように、一対のスリット孔３３に対応する箇所における鍵ガイド部２９の下面に設けられている。すなわち、この一対のフック部３２は、ガイド支持軸２８を中心とする円形上に位置する箇所における鍵ガイド部２９の下面に設けられている。この一対のフック部３２における下部には、一対のスリット孔３３の縁部に位置する鍵盤シャーシ１の下面に当接する突起３３ａが側方に突出して設けられている。
【００３３】
これにより、一対のフック部３２は、図３および図４に示すように、その突起３３ａが鍵盤シャーシ１の一対のスリット孔３３に上方から弾力的に挿入し、この挿入した突起３３ａが鍵盤シャーシ１の下面に当接することにより、鍵ガイド部２９がガイド支持軸２８から上方に抜け出さないように構成されている。
【００３４】
次に、このような鍵盤装置の作用について説明する。
まず、鍵２が押鍵操作されていない初期状態のときには、図１に示すように、ハンマー部材３が錘部２４の重量によってハンマー支持部８の支持軸８ａを中心に反時計回りに回転し、このハンマー部材３の錘部２４側の後端部が鍵盤シャーシ１の後脚部１４における下端部に設けられた下限ストッパ１５に当接している。
【００３５】
このときには、図１に示すように、鍵２のハンマー押圧部２０のハンマー保持部２１がハンマー本体２３の先端部（図１では右端部）に位置する鍵当接摺動部２６によって押し上げられているので、鍵２が鍵盤シャーシ１の前脚部５上に設けられた鍵ガイド部材６でガイドされながら、鍵盤シャーシ１の鍵載置部１２上に設けられた鍵支持部１３の支持軸１３ａを中心に反時計回りに回転して初期位置である上限位置に規制されている。この状態では、鍵２のスイッチ押圧部１６がスイッチ部４の上方に位置して離れている。
【００３６】
この状態で、鍵２を押鍵操作すると、鍵２が鍵ガイド部材６でガイドされながら、鍵支持部１３の支持軸１３ａを中心に時計回りに回転して、ハンマー押圧部２０のハンマー保持部２１がハンマー部材３の鍵当接摺動部２６を押し下げる。これにより、ハンマー部材３が錘部２４の重量に抗して、図１において時計回りに回転する。このときには、ハンマー部材３のハンマー本体２３の回転によって、鍵２にアクション荷重が付与されるので、鍵荷重が重くなる。
【００３７】
そして、鍵２の押鍵操作に伴ってハンマー部材３が時計回りに更に回転して、ハンマー本体２３の後端部（図１では左端部）が鍵盤シャーシ１の鍵載置部１３の下面に設けられたフェルトなどの上限ストッパ２７に接近する際に、スイッチ部４が鍵２のスイッチ押圧部１６によって押圧されて、ゴムシート１８の膨出部１８ａが弾性変形することにより、スイッチ部４がオン信号を出力する。
【００３８】
この後、ハンマー本体２３の後端部（図１では左端部）が鍵盤シャーシ１の鍵載置部１３の下面に設けられたフェルトなどの上限ストッパ２７に当接し、ハンマー本体２３が上限位置に規制されて、ハンマー部材３の回転が停止する。そして、鍵２が離鍵動作を開始すると、ハンマー部材３のハンマー本体２３が錘部３４の重量によってハンマー支持部８の支持軸８ａを中心に反時計回りに回転し、鍵２がスイッチ部４の膨出部１８ａの弾性復帰力によって鍵支持部１３の支持軸１３ａを中心に反時計回りに回転を開始する。
【００３９】
このように、ハンマー本体２３がハンマー支持部８の支持軸８ａを中心に反時計回りに更に回転し、鍵２が鍵ガイド部材６でガイドされながら、鍵支持部１３の支持軸１３ａを中心に反時計回りに更に回転する。そして、ハンマー本体２３の錘部３４側の後端部が鍵盤シャーシ１の後脚部１４における下端部に設けられた下限ストッパ１５に当接する。
【００４０】
これにより、鍵２は、図１に示すように、ハンマー押圧部２０のハンマー保持部２１がハンマー本体２３の先端部（図１では右端部）に位置する鍵当接摺動部２６によって押し上げられるので、鍵２が鍵ガイド部材６でガイドされながら、鍵支持部１３の支持軸１３ａを中心に反時計回りに回転して上限位置に規制される。この状態では、鍵２が初期位置に戻り、鍵２のスイッチ押圧部１６がスイッチ部４の上方に位置して離れる。
【００４１】
次に、このような鍵盤装置において、複数の鍵２の各隙間Ｓを調整する場合について説明する。
鍵２を成形した際に、鍵２に反りや捻じれが生じていると、鍵２を鍵盤シャーシ１に組み付けた際に、鍵２同士の隙間Ｓが不均一になる。このような場合には、鍵ガイド部２９の回転操作部３１を回転させて鍵ガイド部２９を偏心回転させることにより、鍵２同士の隙間Ｓを調整することができる。
【００４２】
すなわち、回転操作部３１を時計回りまたは反時計回りのいずれかの方向に回転させて、鍵ガイド部２９がガイド支持軸２８を中心に偏心回転すると、鍵ガイド部２９の外周面が偏心回転に伴って鍵２内の両側に位置する一方の内面に徐々に押し付けられる。これにより、鍵ガイド部２９の外周面によって鍵２がその配列方向に変位し、隣接する鍵２同士の隙間Ｓが調整される。
【００４３】
このように鍵ガイド部２９がガイド支持軸２８を中心に偏心回転する際には、一対のフック部３２が鍵盤シャーシ１に設けられた一対のスリット孔３３内を移動しながら、鍵ガイド部２９の軸孔３０の内面に設けられた係合突起部３０ａがガイド支持軸２８の外周面に設けられた複数の係止溝部２８ａを弾力的に乗り越えて係合する。
【００４４】
このため、鍵ガイド部２９はガイド支持軸２８を中心に勝手に回転することがない。また、このときには、一対のフック部３２の突起３２ａが一対のスリット孔３３の縁部に位置する鍵盤シャーシ１の下面に弾力的に当接した状態で移動するので、鍵ガイド部２９が上下方向にガタツクことなく円滑に偏心回転する。
【００４５】
このように、この鍵盤装置によれば、鍵盤シャーシ１上にそれぞれ起立して設けられ、且つ鍵盤シャーシ１上に並列に配列された状態でそれぞれ上下方向に回転可能に取り付けられた複数の鍵２の各内部にそれぞれ挿入する複数のガイド支持軸２８と、この複数のガイド支持軸２８に偏心した状態でそれぞれ回転可能に取り付けられ、ガイド支持軸２８を中心に偏心回転することにより、外周面が鍵２の内面に摺動可能に接触して鍵２をその配列方向に変位させる複数の鍵ガイド部２９とを備えているので、鍵２同士の隙間Ｓを調整することができると共に、鍵２を安定した状態で良好にガイドすることができる。
【００４６】
すなわち、この鍵盤装置では、ガイド支持軸２８を中心に鍵ガイド部２９を回転させると、鍵ガイド部２９が偏心回転して鍵２の内面を鍵２の配列方向に変位させることができるので、鍵ガイド部２９を傾けることなく、隣接する鍵２同士の隙間Ｓを簡単に且つ良好に調整することができると共に、鍵ガイド部２９の外周面を鍵２の内面に上下方向に摺動可能な状態で接触させることができ、これにより鍵２を安定した状態で良好にガイドすることができる。
【００４７】
この場合、この鍵盤装置によれば、複数の鍵ガイド部２９をそれぞれ偏心回転させる複数の回転操作部３１を備えているので、回転操作部３１を時計回りまたは反時計回りのいずれかの方向に回転操作するだけで、簡単に且つ良好に鍵ガイド部２９を偏心回転させることができ、これにより容易に且つ正確に隣接する鍵２同士の隙間Ｓを調整することができる。
【００４８】
また、この鍵盤装置では、複数の回転操作部３１が互いに隣接する鍵ガイド部２９ごとに異なる高さで鍵ガイド部２９にそれぞれ設けられているので、複数の回転操作部３１の外周が鍵２の配列方向における側方に突出しても、隣接する回転操作部３１同士が互いに接触することがなく、回転操作部３１を良好に回転操作することができる。
【００４９】
また、この鍵盤装置では、ガイド支持軸２８の外周面に、その軸方向に沿う複数の係止溝部２８ａが設けられており、このガイド支持軸２８が挿入する鍵ガイド部２９の軸孔３０の内周面に、複数の係止溝部２８ａに係脱可能に係合する係合突起部３０ａが設けられていることにより、ガイド支持軸２８を中心に鍵ガイド部２９を偏心回転させる際に、鍵ガイド部２９の係合突起部３０ａをガイド支持軸２８の係止溝部２８ａにクリック感をもって係合させることができる。
【００５０】
すなわち、この鍵盤装置では、鍵ガイド部２９の係合突起部３０ａがガイド支持軸２８の係止溝部２８ａにクリック感をもって係合するので、ガイド支持軸２８を中心に鍵ガイド部２９を微妙に回転させることができ、これにより隣接する鍵２同士の隙間Ｓを正確に且つ微妙に調整することができる。また、鍵ガイド部２９の係合突起部３０ａがガイド支持軸２８の係止溝部２８ａに係脱可能に係合するため、隣接する鍵２同士の隙間Ｓを調整した後に、鍵ガイド部２９が勝手に回転するのを防ぐことができる。
【００５１】
この場合、鍵ガイド部２９はガイド支持軸２８よりも軟質の合成樹脂、例えばゴムやエラストマーなどの弾性材料で形成されていることにより、ガイド支持軸２８を中心に鍵ガイド部２９を偏心回転させる際に、鍵ガイド部２９の係合突起部３０ａを弾性変形させてガイド支持軸２８の係止溝部２８ａにクリック感をもって弾力的に係合させることができるので、鍵ガイド部２９を円滑に且つ良好に偏心回転させることができる。
【００５２】
さらに、この鍵盤装置では、鍵ガイド部２９が抜け止め用の一対のフック部３２を備えていることにより、鍵ガイド部２９がガイド支持軸２８から上方に抜け出して脱落するのを確実に防ぐことができる。この場合、鍵盤シャーシ１には、ガイド支持軸２８を中心とする円形状に沿って一対のスリット孔３３が形成されており、一対のフック部３２は、鍵ガイド部２９の下面に設けられて一対のスリット孔３３に上方から挿入し、この挿入した下端部に突起３３ａがそれぞれ設けられているので、ガイド支持軸２８に対する鍵ガイド部２９の脱落を防ぐことができると共に、鍵ガイド部２９を良好に偏心回転させることができる。
【００５３】
すなわち、この鍵盤装置では、一対のフック部３２の各突起３３ａが一対のスリット孔３３に上方から弾力的に挿入し、この挿入した各突起３３ａがスリット孔３３の縁部に位置する鍵盤シャーシ１の下面に当接していることにより、鍵ガイド部２９がガイド支持軸２８から上方に抜け出すのを確実に防ぐことができる。また、鍵ガイド部２９が回転する際には、一対のフック部３２が一対のスリット孔３３内を移動するので、鍵ガイド部２９を円滑に且つ良好に回転させることができる。
【００５４】
なお、上述した実施形態では、鍵盤シャーシ１にハンマー部材３を回転可能に取り付け、このハンマー部材３で鍵２にアクション荷重を付与するように構成した場合について述べたが、必ずしもハンマー部材３を鍵盤シャーシ１に設ける必要はない。
【００５５】
また、上述した実施形態では、鍵盤シャーシ１の後部に鍵支持部１３を設け、この鍵支持部１３に支持軸２３ａを設け、この支持軸１３ａに鍵２の後端部を上下方向に回転可能に取り付けた構成である場合について述べたが、必ずしも鍵支持部１３の支持軸１３ａに鍵２を上下方向に回転可能に設ける必要はなく、鍵２の後部に肉厚の薄い屈曲部をヒンジとして形成し、この屈曲部を連結部に一体に連結させて形成し、この連結部を鍵盤シャーシ１に取り付けるように構成したものでも良い。
【００５６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５７】
（付記）
請求項１に記載の発明は、複数の鍵が鍵盤シャーシ上にそれぞれ上下方向に回転可能に取り付けられた状態で並列に配列された鍵盤装置において、前記鍵盤シャーシ上にそれぞれ起立して設けられ、前記複数の鍵の各内部にそれぞれ挿入する複数のガイド支持軸と、前記複数のガイド支持軸に偏心した状態でそれぞれ回転可能に取り付けられ、前記ガイド支持軸を中心に偏心回転することにより、外周面が前記鍵の内面に接触して前記鍵をその配列方向に変位させる複数の鍵ガイド部とを備えていることを特徴とする鍵盤装置である。
【００５８】
請求項２に記載の発明は、請求項１に記載の鍵盤装置において、前記複数の鍵ガイド部をそれぞれ偏心回転させる複数の回転操作部を備えていることを特徴とする鍵盤装置である。
【００５９】
請求項３に記載の発明は、請求項２に記載の鍵盤装置において、前記複数の回転操作部は互いに隣接する前記鍵ガイド部ごとに異なる高さで前記鍵ガイド部にそれぞれ設けられていることを特徴とする鍵盤装置である。
【００６０】
請求項４に記載の発明は、請求項１〜請求項３のいずれかに記載の鍵盤装置において、前記ガイド支持軸の外周面には、その軸方向に沿う複数の係止溝部が設けられており、前記ガイド支持軸が挿入する前記鍵ガイド部の軸孔の内周面には、前記複数の係止溝部に係脱可能に係合する係合突起部が設けられていることを特徴とする鍵盤装置である。
【００６１】
請求項５に記載の発明は、請求項１〜請求項４のいずれかに記載の鍵盤装置において、前記鍵ガイド部は前記ガイド支持軸よりも軟質の合成樹脂で形成されていることを特徴とする鍵盤装置である。
【００６２】
請求項６に記載の発明は、請求項１〜請求項５のいずれかに記載の鍵盤装置において、前記鍵ガイド部は抜け止め用のフック部を備えていることを特徴とする鍵盤装置である。
【符号の説明】
【００６３】
１  鍵盤シャーシ
２  鍵
３  ハンマー部材
４  スイッチ部
６  鍵ガイド部材
２８  ガイド支持軸
２８ａ  係止溝部
２９  鍵ガイド部
３０  軸孔
３０ａ  係合突起部
３１  回転操作部
３２  フック部
３２ａ  突起
３３  スリット孔
【図１】
2013257402.tif 000003
【図２】
2013257402.tif 000004
【図３】
2013257402.tif 000005
【図４】
2013257402.tif 000006